(57)【要約】【課題】改竄が困難であると共に、一意性の有るＩＤ情報を磁気ディスク媒体に埋め込むことを可能とする。【解決手段】メディアを一意に識別するためのＩＤ情報を、プリエンボス型磁気ディスクのプリフォーマット領域のマスタＩＤ情報３と、非プリフォーマット領域のメディア個別ＩＤ情報４とに分けて記録する。【選択図】　　　　図３
2004047020.tif 000002
【特許請求の範囲】
【請求項１】
記録領域に凹凸部からなるプリフォーマット領域と凹部又は凸部からなる非プリフォーマット領域が設けられているプリエンボス型磁気ディスク媒体であって、該磁気ディスク媒体を一意に識別するためのＩＤ情報が前記記録領域内に記録されており、さらに該ＩＤ情報が前記プリフォーマット領域内の第１のＩＤ情報と、前記非プリフォーマット領域内の第２のＩＤ情報により構成されていることを特徴とする磁気ディスク媒体。
【請求項２】
請求項１に記載の磁気ディスク媒体において、前記プリフォーマット領域において前記第１のＩＤ情報を形成する凹凸部は、凹部の深さが前記磁気ディスク媒体を内蔵する固定磁気ディスク装置の記録ヘッドのギャップから発生する磁界により磁化方向を反転不能な十分な深さに設定されていることを特徴とする磁気ディスク媒体。
【請求項３】
請求項１に記載の磁気ディスク媒体において、前記第１、第２のＩＤ情報は、前記磁気ディスク媒体の記録面毎に記録され、さらに各情報がそれぞれ異なるＩＤ情報を有することを特徴とする磁気ディスク媒体。
【請求項４】
請求項１に記載の磁気ディスク媒体において、前記第１及び第２のＩＤ情報は、所定の暗号方式により暗号化された情報であることを特徴とする磁気ディスク媒体。
【請求項５】
請求項１に記載の磁気ディスク媒体において、前記第１、第２のＩＤ情報は、識別情報としてのＩＤ情報本体と、そのディジタル署名情報を含むことを特徴とする磁気ディスク媒体。
【請求項６】
請求項１に記載の磁気ディスク媒体を１枚以上内蔵した固定磁気ディスク装置であって、前記磁気ディスク媒体の前記第１、第２のＩＤ情報を読み出すための読出し手段と、前記第１、第２のＩＤ情報の暗号を解除する暗号解除手段と、前記第１、第２のＩＤ情報をディジタル署名情報に基づきチェックするチェック手段と、前記第１、第２のＩＤ情報のペアを上位装置に転送する転送手段とを備えることを特徴とする固定磁気ディスク装置。
【発明の詳細な説明】
【０００１】
【発明の属する技術分野】
本発明は、磁気ヘッドによりディジタル情報を記録再生する固定磁気ディスク装置と磁気ディスク媒体に関するものであり、特に磁気ディスク媒体にメディアの識別情報を埋め込むことによりセキュリティ機能を加えた固定磁気ディスク装置とその磁気ディスク媒体に関する。
【０００２】
【従来の技術】
固定磁気ディスク装置は高速で回転する磁気ディスク基板上を磁気ヘッドがサブミクロンオーダーの間隔を保って浮上しながら、信号の記録再生を行っている。固定磁気ディスク装置に用いられる従来の磁気ディスク基板は、アルミやガラス等の非磁性体を材料とする平坦な基板上に、磁性層と保護膜を積層して作られていた。ところが近年、基板上に設けられた凹凸パターンにサーボ情報等のプリフォーマット情報を記録するプリエンボス方式の磁気ディスクが一部の固定磁気ディスク装置に用いられるようになっている。
【０００３】
例えば日経エレクトロニクスＮｏ．５８６（１９９３．７．１９）に紹介されている固定磁気ディスク装置は、サーボパターンと記録トラックを凹凸形状でガラス基板上に形成したプリエンボス媒体を用いている。本媒体のサーボパターンは凹部と凸部がトラック方向に沿って互いに逆向きに磁化されており、凹凸の境界部分から漏れ出る磁束を磁気ヘッドで検出し、１／０の信号パターンを読み取っている。
【０００４】
このようなプリエンボス方式磁気ディスクは光ディスクと同様の製造方法を用いるので、サーボ情報や記録トラックを精度良く形成できるのが特徴である。
なお、本方式はサーボパターンへの用途以外に、例えばプログラムやデータ等をあらかじめ格納したＲＯＭディスクへの用途が期待されている。
ところで昨今、画像データ、音声データ、様々なソフトウエアデータ（以下、これらをコンテンツと呼ぶ）が、インターネット等のネットワークを介して流通している。これらのコンテンツをネットから購入、ダウンロードした際にそのデータを一時的に保存するための手段として固定磁気ディスク装置やメモリカードが用いられている。
【０００５】
また、ディジタルコンテンツの流通量の増大に伴い、コンテンツを保護するための仕組みとしてディジタル著作権管理システムが導入されている。ディジタル著作権管理システムは、顧客が購入したコンテンツに何らかの操作を施すことで、このコピーを第三者に渡したり、インターネットにアップロードして配布したりすることができないようにするものである。
【０００６】
ある種のディジタル著作権管理システムは、コンテンツを再生するクライアントＰＣのハードウェア情報をベースにキーを生成して、そのキーが無いと再生できないような仕組みを提供している。例えばスマートカード（インテリジェント機能を備えるメモリカード）と連携した或るシステムは、ハードウェア情報としてスマートカード内に埋め込まれたカード固有のＩＤ情報を用いる。このＩＤ情報は改竄できないような状態で埋め込まれており、これにより高いセキュリティ性を実現している。
【０００７】
【発明が解決しようとする課題】
一方、固定磁気ディスク装置において、上述したようなＩＤ情報をメディアに埋め込んだ例はこれまで見られなかった。固定磁気ディスク装置は構造上内部データの書き換えが比較的容易なことなことがその一つの理由となっている。すなわちＩＤ情報を磁気ヘッドでソフト的に埋め込む方法では、不正使用を目的とするＩＤ情報の改竄を防ぐことが難しい。
【０００８】
その解決策として上述したプリエンボス型磁気ディスクにより、ＩＤ情報をハード的に埋め込む方法が考えられる。しかしスタンパで成型するプリエンボス型磁気ディスクでは、同一スタンパで成型した磁気ディスクが同一のＩＤ情報を有するという問題がある。すなわちＩＤ情報の一意性を保つことができない。
本発明は、上述の点に鑑み、改竄が困難であると共に、一意性の有るＩＤ情報を埋め込むことが可能な磁気ディスク媒体と、これを適用することでセキュリティ機能を付加した固定磁気ディスク装置とを提供することを目的とする。
【０００９】
【課題を解決するための手段】
上述の目的を達成するため、本発明の磁気ディスク媒体は、記録領域に凹凸部からなるプリフォーマット領域と凹部又は凸部からなる非プリフォーマット領域が設けられているプリエンボス型磁気ディスク媒体であって、該磁気ディスク媒体を一意に識別するためのＩＤ情報が前記記録領域内に記録されており、さらに該ＩＤ情報がプリフォーマット領域内の第１のＩＤ情報と、非プリフォーマット領域内の第２のＩＤ情報により構成されていることを特徴としている。
【００１０】
ここで、プリフォーマット領域内の第１のＩＤ情報と非プリフォーマット領域内の第２のＩＤ情報から構成されるＩＤ情報は、改竄が困難であると共に一意性を有する情報となる。
また、上記磁気ディスク媒体において、プリフォーマット領域内の前記第１のＩＤ情報を形成する凹凸部は、凹部の深さが前記磁気ディスク媒体を内蔵する固定磁気ディスク装置の記録ヘッドのギャップから発生する磁界により磁化方向を反転不能な十分な深さに設定されていることが好ましい。これで固定磁気ディスク装置のヘッドにより、少なくとも凹部を書き換えることができなくなる。すなわち不正使用者がマスタＩＤ情報を自分の意図する内容に変更することが困難になる。
【００１１】
また、上記磁気ディスク媒体において、前記第１、第２のＩＤ情報は、前記磁気ディスク媒体の記録面毎に記録され、さらに各情報がそれぞれ異なるＩＤ情報を有することが好ましい。複数のＩＤ情報が利用可能となるため、より柔軟なセキュリティ管理が可能となり、本磁気ディスク媒体の有用性を高めることができる。
【００１２】
また、上記磁気ディスク媒体において、前記第１及び第２のＩＤ情報は、所定の暗号方式により暗号化された情報であることが好ましい。暗号化により固定磁気ディスク装置の分解調査によるＩＤ情報の漏洩が防止される。
また、上記磁気ディスク媒体において、前記第１、第２のＩＤ情報は、識別情報としてのＩＤ情報本体と、そのディジタル署名情報を含むことが好ましい。ディジタル署名情報によりＩＤ情報の不正な改竄が検知されるため、ＩＤ情報の信頼性を高めることができる。
【００１３】
また、本発明の固定磁気ディスク装置は、上述の目的を達成するため、本発明の磁気ディスク媒体を１枚以上内蔵した固定磁気ディスク装置において、前記磁気ディスク媒体の前記第１、第２のＩＤ情報を読み出すための読出し手段と、前記第１、第２のＩＤ情報の暗号を解除する暗号解除手段と、前記第１、第２のＩＤ情報をディジタル署名情報に基づきチェックするチェック手段と、前記第１、第２のＩＤ情報のペアを上位装置に転送する転送手段とを備えることを特徴とする。
【００１４】
【発明の実施の形態】
以下、図面を参照して、本発明の実施の形態を詳細に説明する。
図５に本発明の実施形態の固定磁気ディスク装置の構成を示す。固定磁気ディスク装置５は、筐体１１の上に磁気ヘッド１４を支持するアーム１５、アーム１５を固定する櫛歯状のキャリッジ１６、及びこれを駆動するボイスコイルモータ１７、及び磁気ディスク１が取り付けられている。磁気ディスク１は複数積層されてスピンドル軸１２に固定されている。スピンドル軸１２は筐体１１の下側に取り付けられている図示しないスピンドルモータにより一定の角速度で回転する。キャリッジ１６はボイスコイルモータ１７によりシャフト１３を中心に揺動運動する。磁気ヘッド１４は各ディスク面に対向するようにアーム１５の先端に取り付けられ、キャリッジ１６の移動に伴って回転するディスク上を浮上しながら移動するようになっている。
【００１５】
図２は本発明の磁気ディスク媒体の実施形態である磁気ディスクの平面図である。磁気ディスク１は記録情報の一部が凹凸部で形成されたプリエンボス型磁気ディスクであり、基板材料として合成樹脂等が使用され、その上に磁性膜と保護膜が積層されている。本磁気ディスク１の記録面には制御情報が記録されたサーボゾーン２が放射状に設けられており、またデータを記録するための同心円状のトラックが設けられている。
【００１６】
図６は磁気ディスク１の記録面の詳細図である。図においてドット模様を施した領域は凸部、白抜き部分は凹部、それ以外は凹凸部となっている。
サーボゾーン２には、トラック位置を特定するためのトラックＩＤ２６、及びヘッドの位置のトラック中心からの位置ずれを検知するための格子パターン２３、及びその他の制御情報が凹凸で形成されている。
【００１７】
サーボゾーン２により分割されるような形でトラックが敷設されている。また隣接トラックからの干渉を防止するためのガードバンド２８が凹部によりトラック間に形成されている。トラックには凸部のみで形成されたものと、凹凸部で形成されたものがある。凸部のみで形成されたトラック、例えばトラック２７等はプリフォーマットされていない（すなわちデータの読み書きが可能な）トラックであり、凹凸部で形成されたトラック２９はプリフォーマットされた（再生専用の）トラックである。
【００１８】
プリフォーマット及び非プリフォーマットトラックは共に論理的なフォーマットが施されている。すなわち読み書きの基本単位であるセクタに分割されている。各々のセクタはデータ本体とヘッダ情報、及び誤り訂正用の冗長バイトがから構成されている。ヘッダ情報にはそのセクタのアドレス情報や、データに同期したクロックを生成するための同期情報等が含まれている。またデータ本体は連続する０の数を制限した符号形式（例えば２−７ＲＬＬ符号等）に変換されている。
【００１９】
上述した磁気ディスク１は光ディスクの製造方法を用いて製造することができる。図４はその手順を示したものである。まずガラス円盤９０を研磨してキズの無い、平坦な状態に仕上げる。そしてその上に感光剤（レジスト）９１を塗布する。そしてレーザーカッティング装置にてレーザー光を記録するパターンに応じて断続しながら照射する。これを現像するとレーザー光が照射された部分は溶けて、表面にパターンに応じたくぼみができる。さらにその表面にニッケルを厚くメッキしスタンパ９４を型取りする。さらにスタンパ９４を型にして合成樹脂材料を射出成型し、基板９５を成型する。最後に基板９５の表面にスパッタ等により磁性層と保護膜を積層すると磁気ディスクが完成する。
【００２０】
さらに本磁気ディスクは着磁という操作を行うことにより磁気ヘッドにて信号パターンの検出が可能となる。着磁は図１（ａ）に示すようにまず、強い磁界を発生する磁気ヘッドにより凹凸の上部、下部共にある一方向に着磁を行い（一次着磁）、その後図１（ｂ）のように一次着磁より弱い適正な磁界を発生する磁気ヘッドにより逆方向に着磁する（二次着磁）。二次着磁では凹部は反転されないため、凹凸部の境界で磁化遷移が発生するようになる。
【００２１】
磁気ヘッドが浮上しながらこの凹凸部を通過する際、磁化遷移の部分で磁化遷移方向に応じて正又は負ピークを持つ電圧信号が発生するため、この電圧信号を増幅してピーク検知すれば信号パターンが読み取れる。
図３に示したように本磁気ディスクの記録面には、所定のトラック位置に２種類のＩＤ情報（マスタＩＤ情報３及びメディア個別ＩＤ情報４）が記録されており、これによりメディアを一意に識別できるようになっている。
【００２２】
マスタＩＤ情報３はあらかじめスタンパに埋め込まれており、成型工程でスタンパから磁気ディスクに凹凸パターンとして転写されるものである。従って同一のスタンパにより成型された磁気ディスクは同一のマスタＩＤ情報を有する。マスタＩＤ情報３はスタンパを一意に識別するためのマスタＩＤを含む。マスタＩＤは例えばスタンパのシリアル番号等を用いることができる。異なるマスタＩＤ情報を埋め込んだ２枚のスタンパを用いて、磁気ディスクの表裏の記録面の成型を行うことにより、記録面毎に異なるマスタＩＤ情報を作成することもできる。
【００２３】
マスタＩＤ情報３をスタンパに凹凸パターンとして埋め込む場合には暗号化を施すことが好ましい。これにより固定磁気ディスク装置の分解調査による解析がさらに困難となる。使用する暗号方式としてはこの場合特に制約は無い。
また、マスタＩＤ情報３にはマスタＩＤのディジタル署名情報が含まれていることが望ましい。このディジタル署名はマスタＩＤが正規の製造者により作成されているか否か、及びそのマスタＩＤが改竄されているか否かを検証できるようにするものである。
【００２４】
このディジタル署名は、マスタＩＤをハッシュ関数により固定長データ（ハッシュコード）に変換した後、公開鍵暗号方式における秘密鍵を使用してハッシュコードを暗号化することにより作成することができる。これをチェックする場合は、まず磁気ディスクからマスタＩＤとディジタル署名を読込み、ディジタル署名を上記の秘密鍵の対をなす公開鍵により暗号化解除してハッシュコードを得る。そしてこのハッシュコードをマスタＩＤからハッシュ関数により求めたハッシュコードと比較し、一致／不一致を判定する。判定の結果一致していればマスタＩＤが正規の製造者により作成され、かつその改竄は行われていないと推定される。
【００２５】
このマスタＩＤ情報３は、図６に示す凹凸部からなるプリフォーマットされたトラック（再生専用トラック２９）に埋め込まれる。この再生専用トラック２９は磁気ディスク１内の任意のトラック位置に設けることができる。
再生専用トラック２９の凹凸形状において、凹部の深さは固定磁気ディスク装置の記録ヘッドのギャップ部から発生する記録磁界が凹部に十分に届かない深さに設定することが好ましい。その最適値は使用するヘッドの特性やヘッド浮上量等により変わる。そのため凹部の深さは固定磁気ディスク装置のハード仕様に合わせて最適値を選ぶ。
【００２６】
図７はマスタＩＤを埋め込んだスタンパを製作する過程で用いる製造装置３１の構成を示したものである。本装置はレジストを塗布したガラス基板の表面に凹凸に応じたパターンを書き込むために使用される。次に本製造装置の動作について説明する。
まずマスタＩＤ発生器３２は一意なＩＤ番号、例えば１０５７２９７２を発生し、暗号化器３３は外部から入力される共通鍵９６によりこれを暗号化する。ハッシュ関数演算器３４は所定のハッシュ関数演算により暗号化されたマスタＩＤを例えば１２８バイトの固定長ハッシュコードに変換する。さらに暗号化器３５は外部から入力される秘密鍵９７によりこのハッシュコードを暗号化しディジタル署名３６を作成する。
【００２７】
暗号化されたマスタＩＤ３７とディジタル署名３６は結合されフォーマット変換器３８に入力される。フォーマット変換器３８はバイト形式の入力データをシリアルビット列に変換すると共に、トラックの論理フォーマットに合わせてフォーマット変換を行い、さらに所定の符号形式への変換を行う。さらにマッピング演算器３９はフォーマット変換器３８の出力データを、マスタＩＤ情報を記録するトラック位置に基づいて２次元領域にマッピングし、マスタＩＤ情報の凹凸パターン情報を生成する。
【００２８】
レーザーカティング装置４０はサーボゾーンや記録トラックの凹凸パターン情報を格納したマスタデータ４１と、マッピング演算器３９の生成した凹凸パターン情報３９ａを入力する。そして感光体を表面に塗布したガラス基板９０を回転させながら、これらの入力情報に基づいてレーザー４２のＯＮ／ＯＦＦを行う。さらにこのガラス基板９０を現像し、その表面に形成された凹凸にニッケルメッキ処理を施すことによりスタンパが完成する。
【００２９】
マスタＩＤ情報は上述したように磁気ヘッドで任意情報に変更することが困難なため、耐タンパ性に優れるという利点がある。しかしその反面、同一のスタンパから製造された磁気ディスクが同一のＩＤ情報を有することになるため、一意性が保てないという欠点がある。この欠点を補うため本発明の磁気ディスクは、第２のＩＤ情報としてメディア個別ＩＤ情報を使用する。メディア個別ＩＤ情報は、磁気ディスクを一意に識別するＩＤ番号を含む。
【００３０】
磁気ディスクの表裏の記録面に異なるメディア個別ＩＤ情報を記録することができる。これにより１枚の磁気ディスクで複数のＩＤ情報が利用可能となるため、より柔軟なセキュリティ管理が可能となる。
また、マスタＩＤ情報と同様に本ＩＤ情報も磁気ディスクに書き込む際に暗号処理を施すことが望ましい。この場合も同様に使用する暗号方式に特に制約は無い。またマスタＩＤ情報と同様にメディア個別ＩＤ情報にもディジタル署名情報が含まれていることが望ましい。
【００３１】
このメディア個別ＩＤ情報は図６の再生専用トラック２９を除くトラック、すなわちプリフォーマットされていないトラック（トラック２７等）に磁気ヘッドで記録される。ここでトラック位置に特に制約は無い。製造工程において本ＩＤ情報を記録する処理は固定磁気ディスク装置の組み立てが全て完了した後に行われる。
【００３２】
図９は固定磁気ディスク装置５に内蔵されている磁気ディスク１に個別メディアＩＤ情報を書き込む装置の構成を示したものである。図のように書込みはＩＤ書込み装置７０と固定磁気ディスク装置５をバス６２により接続しておこなう。
図においてＩＤ書込み装置７０はメディア個別ＩＤ発生器７１が生成するメディア固有のＩＤ番号７１ａを、暗号化器７２で暗号化し、暗号データ７９を作成すると共に、ハッシュ関数演算器７３と暗号化器７４によりそのディジタル署名７８を生成し、これらを合わせたライトデータ８２を作成する。ライトデータ８２と共にトラック番号及びヘッド番号７７を固定磁気ディスク装置５に書込みの指令として送ることにより磁気ディスク１の所定トラックの所定記録面にメディア個別ＩＤ情報４が書き込まれる。
【００３３】
図８は本発明の実施形態の固定磁気ディスク装置の制御部５０の構成図である。本制御部５０のヘッドアンプ５１はヘッド再生信号を増幅するリードアンプ（図省略）、磁気ヘッド１４の記録電流のスイッチングを行うドライバ回路（図省略）、及びヘッド選択回路等（図省略）から構成されている。ヘッドアンプ５１の出力信号は読出し制御部５３に導かれ、ここでデータの再生が行われる。読出し制御部５３は、再生信号のピーク検出を行うピーク検出回路５３ａ、チャネル符号化されたデータの復号化を行う復調回路５３ｂ等を含む。フォーマット制御部５６は所定のセクタフォーマットに基づくリード／ライトデータのフォーマット変換、誤り訂正符号によるリードデータのチェック、誤り発生時の訂正処理等を行う。バッファメモリ６３はリード・ライトするデータを一時的に格納するためのメモリである。
【００３４】
本固定磁気ディスク装置はバス６２を介して上位装置６１（例えばＰＣ）と接続されている。ＣＰＵ５８は上位装置６１から送られてくるコマンドを解析し、各コマンドの処理を実行する。
ＲＯＭ５８ａは本装置のファームウェアを記憶したリードオンリーメモリである。ＲＯＭ５８ａにはさらに、ＩＤ情報を読み出す際に必要となる幾つかの鍵データを保管した鍵テーブル１０１が記憶されている。図１１は鍵テーブル１０１の内容を示したものである。マスタＩＤ用共通鍵１０１ａは、図７のスタンパ製造装置において暗号化器３３に入力される共通鍵９６と同一の鍵、マスタＩＤ用公開鍵１０１ｂは暗号化器３５に入力される秘密鍵９７と対をなす公開鍵となっている。またメディア個別ＩＤ用共通鍵１０１ｃは、図９のＩＤ情報記録措置７０において暗号化器７２に入力される共通鍵９８と同一の鍵、メディア個別ＩＤ用公開鍵１０１ｄは暗号化器７４に入力される秘密鍵９９と対をなす公開鍵である。
【００３５】
図１０は本発明の固定磁気ディスク装置において磁気ディスクに格納されたＩＤ情報を読み出す場合の手順を示したフローチャートである。ここで固定磁気ディスク装置５は電源投入後のイニシャライズ処理が完了し、上位装置６１からのコマンド待ち状態であると仮定している。次にＩＤ情報の読み出しの手順を本フローチャートと、図８、図１１等を用いて説明する。
【００３６】
上位装置６１からバス６２を介して特定のヘッド番号のＩＤ情報の読出し指令が送られてくると、まずＳ１においてＣＰＵ５８は位置決め制御部５４に指令を送り、ヘッド１４をマスタＩＤ情報が格納されているトラック（再生専用トラック）へシークさせる。
Ｓ２において、ＣＰＵ５８はヘッドアンプ５１に指令を送り複数のヘッドの中から上位装置６１が指定したヘッドを選択する。するとそのヘッドに対応する記録面からの再生信号がヘッドアンプ５１で増幅され、その出力がピーク検出回路５３ａを介して復調回路５３ｂへ導かれ、復調回路５３ｂから再生専用トラックのデータがＮＲＺデータ列として読み出される。
【００３７】
Ｓ３において、ＣＰＵ５８はフォーマット制御部５６にマスタＩＤ情報の読出しを指示する。するとＮＲＺデータ列はフォーマット制御部５６に入力され、ここでマスタＩＤ情報が格納されたセクタのデータのみが抽出され、さらにフォーマット制御部５６により本セクタデータの誤りチェック、必要に応じた誤り訂正が行われ、その後セクタデータが転送制御回路５７を介してバッファメモリ６３に保存される。
【００３８】
Ｓ４において、ＣＰＵ５８はまずバッファメモリ６３にアクセスし、セクタデータ内のディジタル署名データを鍵テーブル１０１に格納されてマスタＩＤ用公開鍵１０１ｂを用いて暗号化解除する。次に所定のハッシュ関数によりセクタデータ内のマスタＩＤデータのハッシュコードを計算する。ここで所定のハッシュ関数は図７のスタンパ製造装置におけるハッシュ関数演算器３４に適用される関数と同一の関数となっている。
【００３９】
Ｓ５において、ＣＰＵ５８は前ステップにおけるディジタル署名を暗号化解除したコードと、マスタＩＤから計算したハッシュコードを比較する。ここでもしこれらが異なっていた場合は、メディアに何らかの異常があると判断し、上位装置へ異常の発生を通知する（Ｓ１４）。そして処理を中断してコマンド待ち状態に戻る（Ｓ１３）。
【００４０】
そうでない場合は、次のステップＳ６に進む。Ｓ６において、ＣＰＵ５８は暗号化されたマスタＩＤ用共通鍵１０１ａにより暗号化解除する。そして平文化されたマスタＩＤ（１６ビット）を取得する。
次にＳ７において、ＣＰＵ５８は磁気ヘッド１４をメディア個別ＩＤ情報が格納されているトラックへシークさせる。
【００４１】
さらにＳ８において、本トラックに記録されたＩＤ情報の読出しが実行され、メディア個別ＩＤ情報を含むセクタデータがバッファメモリ６３に読み込まれる。
Ｓ９において、ＣＰＵ５８はまず、セクタデータ内のディジタル署名データをメディア個別ＩＤ用公開鍵１０１ｄを用いて暗号化解除する。次に所定のハッシュ関数によりセクタデータ内のメディア個別ＩＤのデータのハッシュコードを計算する。ここで所定のハッシュ関数は図９のＩＤ情報記録装置におけるハッシュ関数演算器７３に適用される関数と同一の関数となっている。
【００４２】
次にＳ９において、ＣＰＵ５８は前ステップにおけるディジタル署名を暗号化解除したコードと、メディア個別ＩＤから計算したハッシュコードを比較する。ここでもしこれらが異なっていた場合は、メディアに何らかの異常があると判断し、Ｓ１４で上位装置へ異常の発生を通知する。そして処理を中断してコマンド待ち状態に戻る。
【００４３】
そうでない場合は、次のステップＳ１１に進む。Ｓ１１において、ＣＰＵ５８は暗号化されたメディア個別ＩＤをメディア個別ＩＤ用共通鍵１０１ｃにより暗号化解除する。そして平文化されたメディア個別ＩＤ（３２ビット）を取得する。最後にＳ１２において、ＣＰＵ５８はマスタＩＤ（１６ビット）とメディア個別ＩＤ（３２ビット）を結合し、４８ビットのＩＤを作成する。そしてこれをバス６２を介して上位装置６１に送る。そしてその後、Ｓ１３で上位装置６１からのコマンド待ち状態に戻る。
【００４４】
上位装置６１はその後必要に応じて、その他のヘッドに対しても同様にＩＤの読出しコマンドを送る。そして各ヘッドに対応するＩＤを取得し、これらを元に暗号鍵の生成等を行う。
【００４５】
【発明の効果】
以上説明したように本発明の磁気ディスク媒体によれば、メディアを一意に識別するためのＩＤ情報を、プリエンボス型磁気ディスクのプリフォーマット領域と、非プリフォーマット領域とに分けて記録するようにしたため、改竄が困難であると共に一意性の有るＩＤ情報を記録した磁気ディスク媒体を提供可能となる。
【００４６】
また、本発明の固定磁気ディスク装置によれば、上記磁気ディスク媒体を１枚以上内蔵し、本磁気ディスク媒体からＩＤ情報を読み出して上位装置に転送することができるため、様々なセキュリティシステムに適用可能な固定磁気ディスク装置を提供可能となる。
【図面の簡単な説明】
【図１】本発明の実施形態の磁気ディスクの初期磁化の原理説明図で、（ａ）は一次着磁を示し、（ｂ）は二次着磁を示す。
【図２】本発明の実施形態の磁気ディスクの平面図（その１）である。
【図３】本発明の実施形態の磁気ディスクの平面図（その２）である。
【図４】本発明の実施形態の磁気ディスクの製造方法の説明図である。
【図５】本発明の実施形態の固定磁気ディスク装置の構成図である。
【図６】本発明の実施形態の磁気ディスクの記録面の詳細図である。
【図７】本発明の実施形態の磁気ディスクの製造に用いるスタンパの製造装置の説明図である。
【図８】本発明の実施形態の固定磁気ディスク装置の制御部の構成図である。
【図９】本発明の実施形態の磁気ディスクのメディア個別情報の書込み装置の構成図である。
【図１０】本発明の実施形態の固定磁気ディスク装置において磁気ディスクに格納されたＩＤ情報を読み出す手順を示すフローチャートである。
【図１１】本発明の実施形態の固定磁気ディスク装置に保管する鍵テーブルの内容を示す図である。
【符号の説明】
１　磁気ディスク
２　サーボゾーン
３　マスタＩＤ情報
４　メディア個別ＩＤ情報
【図１】
2004047020.tif 000003
【図２】
2004047020.tif 000004
【図３】
2004047020.tif 000005
【図４】
2004047020.tif 000006
【図５】
2004047020.tif 000007
【図６】
2004047020.tif 000008
【図７】
2004047020.tif 000009
【図８】
2004047020.tif 000010
【図９】
2004047020.tif 000011
【図１０】
2004047020.tif 000012
【図１１】
2004047020.tif 000013